(57)【要約】      （修正有）【課題】止水位置且つ冷水吐水位置に配置されているハンドルを最大吐水位置に向けて回動操作する際に、ハンドルを意図せず温水吐水位置に向けて回動させてしまうことを防止することができるシングルレバー式混合水栓を提供する。【解決手段】把持部４ｄは、冷水吐水位置において水栓本体３の正面側を向くように延設され、且つ、冷水吐水位置における止水位置から最大吐水位置まで回動することで、正面視でガイド体の軸心Ｃを超えないよう近接するように延設され、使用者がハンドル４を意図せず温水吐水位置に向けて回動させてしまうことを防ぎ、吐水管から吐水される水に温水を混合させてしまうことなく所望の冷水のみを使用する。【選択図】図７
2011252303.tif 000002
【特許請求の範囲】
【請求項１】
温水路及び冷水路と、前記温水路と前記冷水路とからの水流を吐水可能な吐水管と、前記温水路と前記冷水路との少なくとも一方から前記吐水管への水流の流量を調整する弁体と、上部に係止部を有するとともに下部が前記弁体に接続され、水平方向を向く軸心によって回動可能に枢支されるレバーと、から構成された水栓本体と、
前記係止部に係止する被係止部及び使用者が把持可能に延設された把持部を有し、前記水栓本体の正面視の右側で前記弁体が前記冷水路のみを開放する冷水吐水位置及び、前記水栓本体の正面視の左側で前記弁体が前記温水路のみを開放する温水吐水位置の間で、冷水と温水との混合比を調整しながら水平方向に回動可能であるとともに、前記吐水管からの吐水を停止させる下方側の止水位置と前記吐水管からの吐水量が最大となる上方側の最大吐水位置との間で、前記吐水管からの吐水量を調整しながら垂直方向に回動可能であるハンドルと、
を備えたシングルレバー式混合水栓であって、
前記把持部は、前記冷水吐水位置において前記水栓本体の正面側を向くように延設され、且つ、前記冷水吐水位置における前記止水位置から前記最大吐水位置まで回動することで、正面視で前記ガイド体の前記軸心の右側から該軸心を超えないように、該軸心に近接していくように延設されていることを特徴とするシングルレバー式混合水栓。
【請求項２】
前記把持部の下部は、正面視で下方に向けて突出する弧状に形成されていることを特徴とする請求項１に記載のシングルレバー式混合水栓。
【請求項３】
前記水栓本体の外周面には、第１認識部が配置されており、前記ハンドルの外周面には、前記把持部が前記冷水吐水位置に配置されることで前記第１認識部と合致する第２認識部が配置されていることを特徴とする請求項１または２に記載のシングルレバー式混合水栓。
【発明の詳細な説明】
【技術分野】
【０００１】
本発明は、温水路及び冷水路と、温水路と冷水路とからの水流を吐水可能な吐水管と、温水路と冷水路との少なくとも一方から吐水管への水流の流量を調整する弁体と、上部に係止部を有するとともに下部が弁体に接続され、水平方向を向く軸心によって回動可能に枢支されるレバーと、から構成された水栓本体と、係止部に係止する被係止部及び使用者が把持可能に延設された把持部を有し、水栓本体の正面視の右側で弁体が冷水路のみを開放する冷水吐水位置及び、水栓本体の正面視の左側で弁体が温水路のみを開放する温水吐水位置の間で、冷水と温水との混合比を調整しながら水平方向に回動可能であるとともに、吐水管からの吐水を停止させる下方側の止水位置と吐水管からの吐水量が最大となる上方側の最大吐水位置との間で、吐水管からの吐水量を調整しながら垂直方向に回動可能であるハンドルと、を備えたシングルレバー式混合水栓に関する。
【背景技術】
【０００２】
従来、吐水を行うための吐水管と、下方側から上方側に向けて垂直方向に回動操作することで吐水管から吐水する水の水量調節を行うとともに、水平方向の回動操作によって吐水管から吐水される熱水（温水）と冷水の混合比の調節を行う操作レバー（ハンドル）と、を備えるシングルレバー式混合水栓がある。このようなシングルレバー混合水栓には、操作レバーの操作者のほぼ正面に向き合う位置を吐水管から冷水のみが吐水される位置（冷水吐水位置）としているものがある（例えば、特許文献１参照）。
【先行技術文献】
【特許文献】
【０００３】
【特許文献１】特開２００９−６２７８７号公報（第５頁、第３図）
【発明の概要】
【発明が解決しようとする課題】
【０００４】
しかしながら、特許文献１の実施例２に記載の「逆くの字」形シングルレバー式混合水栓にあっては、所望の冷水のみが吐水される位置で使用者が操作レバー（ハンドル）を上方側に向けて回動操作すると、把持部がレバーの軸心位置よりも右方に位置することから、レバーを上方側に向けて回動操作する力が左方向にもはたらくことで、勢い余って操作レバーが水平方向にも回動し、吐水管から吐水される水に熱水（温水）が混入してしまうという問題がある。
【０００５】
本発明は、このような問題点に着目してなされたもので、止水位置且つ冷水吐水位置に配置されているハンドルを最大吐水位置に向けて回動操作する際に、ハンドルを意図せず温水吐水位置に向けて回動させてしまうことを防止することができるシングルレバー式混合水栓を提供することを目的とする。
【課題を解決するための手段】
【０００６】
前記課題を解決するために、本発明のシングルレバー式混合水栓は、
温水路及び冷水路と、前記温水路と前記冷水路とからの水流を吐水可能な吐水管と、前記温水路と前記冷水路との少なくとも一方から前記吐水管への水流の流量を調整する弁体と、上部に係止部を有するとともに下部が前記弁体に接続され、水平方向を向く軸心によって回動可能に枢支されるレバーと、から構成された水栓本体と、
前記係止部に係止する被係止部及び使用者が把持可能に延設された把持部を有し、前記水栓本体の正面視の右側で前記弁体が前記冷水路のみを開放する冷水吐水位置及び、前記水栓本体の正面視の左側で前記弁体が前記温水路のみを開放する温水吐水位置の間で、冷水と温水との混合比を調整しながら水平方向に回動可能であるとともに、前記吐水管からの吐水を停止させる下方側の止水位置と前記吐水管からの吐水量が最大となる上方側の最大吐水位置との間で、前記吐水管からの吐水量を調整しながら垂直方向に回動可能であるハンドルと、
を備えたシングルレバー式混合水栓であって、
前記把持部は、前記冷水吐水位置において前記水栓本体の正面側を向くように延設され、且つ、前記冷水吐水位置における前記止水位置から前記最大吐水位置まで回動することで、正面視で前記ガイド体の前記軸心の右側から該軸心を超えないように、該軸心に近接していくように延設されていることを特徴としている。
この特徴によれば、使用者がシングルレバー式混合水栓を使用する際に、冷水吐水位置に配置された把持部が水栓本体の正面に向かう使用者と対向するので、使用者は、把持部を止水位置から最大吐水位置に向けて上方に回動させるだけの操作で冷水のみを使用することができるとともに、使用者が把持部を把持してハンドルを冷水吐水位置における止水位置から最大吐水位置に向けて回動させ、最大吐水位置で回動が規制され停止した瞬間に勢い余った使用者の手の動きを止められたことによる慣性力によって、ハンドルに平面視で時計回り向きにはたらくモーメントを最小限に抑えることができるため、使用者がハンドルを意図せず温水吐水位置に向けて回動させてしまうことを抑制し、吐水管から吐水される水に温水を混合させてしまうことなく所望の冷水のみを使用することができる。
【０００７】
本発明のシングルレバー式混合水栓は、
前記把持部の下部は、正面視で下方に向けて突出する弧状に形成されていることを特徴としている。
この特徴によれば、把持部が正面視で矩形状に形成された場合、使用者の手が把持部の底面及び左右側面に接触することで、使用者がハンドルを止水位置から最大吐水位置に向けて回動させるにつれて使用者の手の把持姿勢が変わってしまうが、把持部の下部を正面視で下方に向けて突出する弧状に形成することで、使用者がハンドルを止水位置から最大吐水位置に向けて回動させるにつれて、把持部を把持している使用者の手を把持部の下部に沿って摺動させ、使用者の手の把持姿勢を止水位置から最大吐水位置にかけて維持することができるので、最大吐水位置に向けてハンドルを垂直方向に回動させる力を、温水吐水位置に向けて回動させる水平方向に変化させることを防止することができる。
【０００８】
本発明のシングルレバー式混合水栓は、
前記水栓本体の外周面には、第１認識部が配置されており、前記ハンドルの外周面には、前記把持部が前記冷水吐水位置に配置されることで前記第１認識部と合致する第２認識部が配置されていることを特徴としている。
この特徴によれば、第１認識部と第２認識部とが合致していない場合、使用者に対して吐水管から温水と冷水との混合水が吐水されると認識させることができるので、使用者が温水を使用しない場合には、使用者に両認識部が合致するように把持部を冷水吐水位置まで水平回動させて所望の冷水のみを使用させるよう注意喚起できる。
【図面の簡単な説明】
【０００９】
【図１】実施例におけるシングルレバー式混合水栓を示す斜視図である。
【図２】図６（ａ）におけるハンドル及び水栓本体のＡ−Ａ断面図である。
【図３】水栓本体及びハンドルを示す正面図である。
【図４】ハンドルを示す側面図である。
【図５】冷水吐水位置且つ止水位置におけるハンドルを示す平面図である。
【図６】（ａ）は、冷水吐水位置且つ止水位置におけるハンドルを示す正面図であり、（ｂ）は、（ａ）と同じくケース体内における弁体の位置を示す概略の平面断面図である。
【図７】（ａ）は、冷水吐水位置且つ最大吐水位置におけるハンドルを示す正面図であり、（ｂ）は、（ａ）と同じくケース体内における弁体の位置を示す概略の平面断面図である。
【図８】（ａ）は、最大吐水位置において冷水吐水位置から温水吐水位置に向けてハンドルを回動させる際のケース体内における弁体の位置を示す概略の平面断面図であり、（ｂ）は、（ａ）と同じくハンドルを温水吐水位置まで回動させた際のケース体内における弁体の位置を示す概略図である。
【発明を実施するための形態】
【００１０】
本発明に係るシングルレバー式混合水栓を実施するための形態を実施例に基づいて以下に説明する。
【実施例】
【００１１】
実施例に係るシングルレバー式混合水栓につき、図１から図８を参照して説明する。以下、図２及び図４の紙面左側をシングルレバー式混合水栓の正面側（前方側）とし、図３、図６（ａ）、図７（ａ）の紙面手前側をシングルレバー式混合水栓の正面側（前方側）とし、図５、図６（ｂ）、図７（ｂ）、図８（ａ）、図８（ｂ）の紙面下方側をシングルレバー式混合水栓の正面側（前方側）として説明する。
【００１２】
図１の符号１は、本発明の適用されたシングルレバー式混合水栓である。このシングルレバー式混合水栓１は、使用者の正面側に向けて伸びるとともに先端から水を吐水する吐水管２と、吐水管２から吐水される水の流量及び水温を調整するための水栓本体３と、水栓本体３の上部に取り付けられ、使用者が操作することで水栓本体３における吐水管２から吐水される水の流量及び水温の調整を可能とするハンドル４と、を備えており、例えば、家庭内のキッチンにおけるシンクに取り付けられ、調理や食器の洗浄時に使用されている。
【００１３】
このハンドル４は、水栓本体３に対して水平方向に略９０度回動して吐水管２から吐水される水の温度を調整可能となっているとともに、水栓本体３に対して垂直方向に回動して吐水管２から吐水される水の吐水量を調整可能となっている。以下、水栓本体３について詳述する。
【００１４】
図１及び図２に示すように、上水管から冷水を供給する冷水路６と、給湯器等の加熱装置を介して上水管等に接続され、ケース体５内に加熱装置で加熱された温水を供給する温水路７とは、水栓本体３が備えた上方に向けて開口する略円筒形状のケース体５に接続されている（図示せず）。
【００１５】
ケース体５の下方には、ケース体５内に供給された冷水と温水とを吐水するための吐水管２が取り付けられている。また、ケース体５の外方には、ケース体５を外面視から被覆するためのカバー体８が配置されており、このカバー体８が図示しないシンク本体に固定されている。図３に示すように、カバー体８の正面には、第１認識部８ａが形成されている。この第１認識部８ａは、正面視で下方から上方にかけて左方側に傾斜するように形成されているとともに、使用者が視認し易いようにカバー体８及びハンドル４の他の箇所とは異なる色で彩色が施されている。
【００１６】
図６（ｂ）に示すように、ケース体５の底面の正面側の右部には、冷水路６に連通した冷水口５ａが形成されている。一方、ケース体５の底面の正面側の左部には、温水路７に連通した温水口５ｂが形成されている。図２及び図６（ｂ）に示すように、ケース体５の底面の略中央部には、吐水管２の配管２ａが連通した吐水口５ｃが形成されている。
【００１７】
また、ケース体５の底面上には、セラミック等の材質によって構成され、ケース体５の内径よりも小径に形成された平面視で円形状の弁体９が配置されている。この弁体９の上部には、後述するレバー１１の下端部が嵌合する嵌合穴９ａが形成されており、弁体９の下部には、下方に向けて開口する流路９ｂが形成されている。
【００１８】
ケース体５の上端部には、略円筒形状（図示せず）に形成されたガイド体１０がケース体５内に挿入配置されている。このガイド体１０は、後述するレバー１１の水平方向の回動とともに、ケース体５と同一の垂直方向を向く軸心Ｃ周りにケース体５に対して平面視における時計回り方向及び反時計回り方向に所定角度回動可能となっている（図５参照）。尚、本実施例におけるシングルレバー式混合水栓１は、構成は省略するが、ガイド体１０の平面視における反時計回り方向側の回動限界位置において、ガイド体１０に平面視における時計回り方向に力がはたらいても流路９ｂと温水口５ｂとが連通しないよう、約５度の遊びを有している。
【００１９】
このガイド体１０内には、軸心Ｃと直交するように、ガイド体１０内で水平方向を向く枢軸１０ａによって垂直方向に回動可能にレバー１１が枢支されている。このレバー１１の上端部は、本実施例における係止部として平面視で正方形状の凸部１１ａが形成されるとともに、下端部は、球状に形成され、弁体９の上部に形成された嵌合穴９ａに嵌合されている。
【００２０】
このため、弁体９は、レバー１１とともにガイド体１０が水平方向に回動することで、ケース体５内でガイド体１０と同一方向に水平回動するとともに、レバー１１が垂直方向に回動することで、ケース体５内で前後方向に水平移動するようになっている。
【００２１】
このようにすることで、弁体９は、前述のハンドル４の水平方向及び垂直方向の回動によってケース体５の底面上を移動し、冷水口５ａ、温水口５ｂ及び吐水口５ｃを所望の開度で開状態若しくは閉状態とすることで、冷水口５ａ、温水口５ｂと吐水口５ｃとを連通可能として、吐水管２から使用者の所望する温度及び流量の水を吐水させることができるようになっている。
【００２２】
図３、図４及び図５に示すように、ハンドル４は、円筒状のハンドル本体４ａを備えている。このハンドル本体４ａの下部における平面視での中央には、平面視でレバー１１の凸部１１ａと補完形状をなす本発明における被係止部としての凹部４ｂが形成されている。
【００２３】
また、ハンドル本体４ａの正面側の下端縁は、ハンドル本体４ａの他の下端部よりも僅かに下方に向けて延設されており、その正面には、第２認識部４ｃが形成されている。この第２認識部は、使用者が視認し易いように、第１認識部８ａと同一の色で彩色が施されている。
【００２４】
尚、本実施例では、第１認識部８ａ及び第２認識部４ｃは、前述のようにカバー体８及びハンドル４の他の部分とは異なる彩色が施されることで、使用者が視認し易いようにしたが、これに代えて、第１認識部８ａ及び第２認識部４ｃにブランドロゴやエコマーク等の環境ラベルを施すようにしてもよい。
【００２５】
また、ハンドル本体４ａの上端右部からは、正面側にかけて上方に傾斜をなす把持部４ｄが、使用者が把持可能なように延設されている。特に、把持部４ｄの先端側の下部４ｆは、使用者が把持部４ｄを把持し易いように、正面視で下方に向けて突出する弧状に形成されている。
【００２６】
このように構成されたハンドル４は、図３に示すように、水栓本体３の上方から凸部１１ａに凹部４ｂを嵌合させることで、把持部４ｄが後述する冷水吐水位置において正面側に向くように配置できる。このとき、図５、図６（ａ）及び図６（ｂ）に示すように、水栓本体３において、弁体９は、冷水口５ａ及び温水口５ｂを閉塞した状態で流路９ｂを冷水口５ａの近傍に配置されるとともに、枢軸１０ａは、平面視で正面側左方から背面側右方を向くように配置される。更にこのとき、第１認識部８ａと第２認識部４ｃとの上下位置及び左右位置が合致し、第１認識部８ａは、第２認識部４ｃに完全に被覆される。
【００２７】
この把持部４ｄが正面側を向くとともに弁体９の流路９ｂが冷水口５ａと温水口５ｂとのいずれの上方にも移動しておらず、吐水管２から水が吐水されないハンドル４の位置が、ガイド体１０の平面視における反時計回り方向側の回動限界位置であり、本実施例の水平方向における冷水吐水位置且つ、垂直方向における止水位置である。
【００２８】
また、この状態から、図７（ａ）及び図７（ｂ）に示すように、使用者が把持部４ｄを把持するとともに、ハンドル４を垂直上方向に回動させ、弁体９の流路９ｂを冷水口５ａの上方の略全体に亘って配置させ、すなわち、流路９ｂを介して冷水口５ａと吐水口５ｃとを連通させる。このハンドル４の位置を、本実施例の水平方向における冷水吐水位置且つ、垂直方向における最大吐水位置とする。
【００２９】
この冷水吐水位置における最大吐水位置においては、流路９ｂが平面視で冷水口５ａの略全体と吐水口５ｃの双方に亘って上方に配置されているため、冷水口５ａから流路９ｂを介して吐水口５ｃに冷水が流れ込む。このため、吐水管２からは、冷水のみが最大量吐水されるようになっており、使用者が止水位置から最大吐水位置にかけてハンドル４を垂直回動させることによって、吐水管２からの吐水量を調整可能となっている。
【００３０】
尚、最大吐水位置において使用者がハンドル４を止水位置から最大吐水位置にかけて枢軸１０ａ周りに垂直回動させることによって、把持部４ｄは、正面視で軸心Ｃに近接する軌跡を描きながら上方に移動するとともに、ハンドル４が最大吐水位置に到達することで、把持部４ｄにおける最も冷水吐水位置側である右端部４ｅが軸心Ｃを超えない位置で規制され停止する。
【００３１】
その際には、勢い余った使用者の手の動きが止められたことによる慣性力によって平面視で時計回り向きにモーメントがはたらくが、このモーメントの大きさは右端部４ｅが正面視で軸心Ｃを超えない位置において最小限に抑えることができる。
【００３２】
その結果、弁体９の底面とケース体５の底面との間で生じる摩擦力も相俟って、温水口５ｂからと水口５ｃへの温水の供給が阻止され、吐水管２から冷水のみを吐水可能となっている。また、ハンドル４が前記平面視で時計回り向きのモーメントによって僅かに時計回り向きに回動しても、その回動角度が前述したガイド体１０の有する遊びの範囲に収まることで、温水口５ｂから吐水口５ｃへの温水の供給を阻止し、吐水管２から冷水のみを吐水可能となっている。
【００３３】
また、第１認識部８ａは、前述のように使用者がハンドル４を最大吐水位置において止水位置から最大吐水位置にかけて垂直回動させることによって、ハンドル４の回動とともに正面視で左上方に向けて移動し、第１認識部８ａは、第２認識部４ｃの移動した軌跡に沿って下部から上部にかけて順次露出していくようになっている。
【００３４】
尚、吐水管２から冷水のみではなく、冷水と温水との混合水や温水のみを吐水させたい場合には、使用者は、ハンドル４を前述の冷水吐水位置における最大吐水位置から、図５、図８（ａ）及び図８（ｂ）に示すように、平面視で時計周りに回動（本実施例では約９０度）回動させればよい。
【００３５】
このハンドル４の水平方向の回動の途上では、弁体９は、ハンドル４とともに回動することで、順次流路９ｂを冷水口５ａの上方から平面視で時計回りに移動させていく。同時に、温水口５ｂの上方に流路９ｂの左部が配置され、図８（ａ）に示すように、流路９ｂが平面視で冷水口５ａ及び温水口５ｂの対向する端部と吐水口５ｃと双方に亘って上方に配置されているため、冷水口５ａと温水口５ｂの双方から流路９ｂに所望の混合比で冷水と温水とが流れ込み、これら冷水と温水との混合水が吐水管２から吐水される。
【００３６】
そして、更にハンドル４を平面視で時計回りに回動させることで、冷水口５ａから流路９ｂに流れ込む冷水の水量を減少させながら温水口５ｂから流路９ｂに流れ込む温水の水量を増加させることで吐水管２から吐水される水の温度を調整しつつ、最終的に流路９ｂを温水口５ｂの上方の略全体に亘って配置させる。このとき、流路９ｂには温水口５ｂから温水のみが流れ込むため、吐水管２からは最も水温の高い温水が最大量吐水される。この温水のみが最大量で吐水される位置が、ガイド体１０の平面視における時計回り方向側の回動限界位置であり、本実施例の水平方向における温水吐水位置且つ、垂直方向における最大吐水位置とする。
【００３７】
以上、本実施例におけるシングルレバー式混合水栓１にあっては、把持部４ｄは、冷水吐水位置において水栓本体３の正面側を向くように延設され、且つ、冷水吐水位置における止水位置から最大吐水位置まで回動することで、正面視でガイド体１０の軸心Ｃを超えないよう近接するように延設されているので、使用者がシングルレバー式混合水栓１を使用する際に、冷水吐水位置に配置された把持部４ｄが水栓本体の正面に向かう使用者と対向するので、使用者は、把持部４ｄを止水位置から最大吐水位置に向けて回動させ、最大吐水位置で回動が規制され停止した瞬間に勢い余った使用者の手の動きを止められたことによる慣性力によって、ハンドル４に平面視で時計回り向きにはたらくモーメントを最小限に抑えることができるため、使用者がハンドル４を意図せず温水吐水位置に向けて回動させてしまうことを抑制し、吐水管２から吐水される水に温水を混合させてしまうことなく所望の冷水のみを使用することができる。特に、ハンドル４が冷水吐水位置から温水吐水位置に向けて回動することで作動する給湯器等の加熱装置が温水路７に接続されている場合には、加熱装置を作動させることなく所望の冷水のみを使用することができるので、余計な二酸化炭素の排出や、ガスや電力の消費を抑えることができる。
【００３８】
また、把持部４ｄの下部４ｆは、正面視で下方に向けて突出する弧状に形成されているので、把持部が正面視で矩形状に形成された場合、使用者の手が把持部の底面及び左右側面に接触することで、使用者がハンドルを止水位置から最大吐水位置に向けて回動させるにつれて使用者の手の把持姿勢が変わってしまうが、把持部４ｄの下部を正面視で下方に向けて突出する弧状に形成することで、使用者がハンドル４を止水位置から最大吐水位置に向けて回動させるにつれて、把持部４ｄを把持している使用者の手を把持部４ｄの下部に沿って摺動させ、使用者の手の把持姿勢を止水位置から最大吐水位置にかけて維持することができるので、最大吐水位置に向けてハンドルを垂直方向に回動させる力を、温水吐水位置に向けて回動させる水平方向に変化させることを防止することができる。
【００３９】
また、水栓本体３の外周面には、第１認識部８ａが配置されており、ハンドル４の外周面には、把持部４ｄが冷水吐水位置に配置されることで第１認識部８ａと合致する第２認識部４ｃが配置されているので、第１認識部８ａと第２認識部４ｃとが合致していない場合、使用者に対して吐水管２から温水と冷水との混合水が吐水されると認識させることができるので、使用者が温水を使用しない場合には、使用者に両認識部４ｃ，８ａが合致するように把持部４ｄを冷水吐水位置まで水平回動させて所望の冷水のみを使用させるよう注意喚起できる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例では、冷水吐水位置における最大吐水位置から使用者が把持部４ｄを把持し、ハンドル４を平面視で時計回りに回動させることで、ハンドル４を吐水管２から温水のみが最大量で吐水される温水吐水位置における最大吐水位置に移動させたが、使用者が最初から温水のみを最大量で使用したい場合には、冷水吐水位置における止水位置に配置されているハンドル４を平面視で時計回りに回動させることで、本実施例の水平方向における温水吐水位置且つ、垂直方向における止水位置である位置に移動させた後、ハンドル４を止水位置から最大吐水位置にかけて垂直回動させることでハンドル４を温水吐水位置における最大吐水位置に配置させ、温水のみを使用するようにしてもよい。
【符号の説明】
【００４２】
１                シングルレバー式混合水栓
２                吐水管
２ａ              配管
３                水栓本体
４                ハンドル
４ｂ              凹部（被係止部）
４ｃ              第２認識部
４ｄ              把持部
４ｅ              右端部
４ｆ              下部
５                ケース体
６                冷水路
７                温水路
８ａ              第１認識部
９                弁体
１０              ガイド体
１１              レバー
１１ａ            凸部（係止部）
Ｃ                軸心
【図１】
2011252303.tif 000003
【図２】
2011252303.tif 000004
【図３】
2011252303.tif 000005
【図４】
2011252303.tif 000006
【図５】
2011252303.tif 000007
【図６】
2011252303.tif 000008
【図７】
2011252303.tif 000009
【図８】
2011252303.tif 000010
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
温水路及び冷水路と、前記温水路と前記冷水路とからの水流を吐水可能な吐水管と、前記温水路と前記冷水路との少なくとも一方から前記吐水管への水流の流量を調整する弁体と、垂直方向を向く軸心周りに回動可能なガイド体と、上部に係止部を有するとともに下部が前記弁体に接続され、水平方向を向く軸心周りに回動可能に枢支されるレバーと、から構成された水栓本体と、
前記係止部に係止する被係止部及び使用者が把持可能に延設された把持部を有し、前記水栓本体の正面視の右側で前記弁体が前記冷水路のみを開放する冷水吐水位置及び、前記水栓本体の正面視の左側で前記弁体が前記温水路のみを開放する温水吐水位置の間で、冷水と温水との混合比を調整しながら水平方向に回動可能であるとともに、前記吐水管からの吐水を停止させる下方側の止水位置と前記吐水管からの吐水量が最大となる上方側の最大吐水位置との間で、前記吐水管からの吐水量を調整しながら垂直方向に回動可能であるハンドルと、
を備えたシングルレバー式混合水栓であって、
前記把持部は、前記冷水吐水位置において前記水栓本体の正面側を向くように延設され、且つ、前記冷水吐水位置における前記止水位置から前記最大吐水位置まで回動することで、正面視で前記ガイド体の前記垂直方向を向く軸心の右側から該軸心を超えないように、該軸心に近接していくように延設されていることを特徴とするシングルレバー式混合水栓。
【請求項２】
前記把持部の下部は、正面視で下方に向けて突出する弧状に形成されていることを特徴とする請求項１に記載のシングルレバー式混合水栓。
【請求項３】
前記水栓本体の外周面には、第１認識部が配置されており、前記ハンドルの外周面には、前記把持部が前記冷水吐水位置に配置されることで前記第１認識部と合致する第２認識部が配置されていることを特徴とする請求項１または２に記載のシングルレバー式混合水栓。
【手続補正２】
【補正対象書類名】明細書
【補正対象項目名】０００１
【補正方法】変更
【補正の内容】
【０００１】
本発明は、温水路及び冷水路と、温水路と冷水路とからの水流を吐水可能な吐水管と、温水路と冷水路との少なくとも一方から吐水管への水流の流量を調整する弁体と、垂直方向を向く軸心周りに回動可能なガイド体と、上部に係止部を有するとともに下部が弁体に接続され、水平方向を向く軸心周りに回動可能に枢支されるレバーと、から構成された水栓本体と、係止部に係止する被係止部及び使用者が把持可能に延設された把持部を有し、水栓本体の正面視の右側で弁体が冷水路のみを開放する冷水吐水位置及び、水栓本体の正面視の左側で弁体が温水路のみを開放する温水吐水位置の間で、冷水と温水との混合比を調整しながら水平方向に回動可能であるとともに、吐水管からの吐水を停止させる下方側の止水位置と吐水管からの吐水量が最大となる上方側の最大吐水位置との間で、吐水管からの吐水量を調整しながら垂直方向に回動可能であるハンドルと、を備えたシングルレバー式混合水栓に関する。
【手続補正３】
【補正対象書類名】明細書
【補正対象項目名】０００６
【補正方法】変更
【補正の内容】
【０００６】
前記課題を解決するために、本発明のシングルレバー式混合水栓は、
温水路及び冷水路と、前記温水路と前記冷水路とからの水流を吐水可能な吐水管と、前記温水路と前記冷水路との少なくとも一方から前記吐水管への水流の流量を調整する弁体と、垂直方向を向く軸心周りに回動可能なガイド体と、上部に係止部を有するとともに下部が前記弁体に接続され、水平方向を向く軸心周りに回動可能に枢支されるレバーと、から構成された水栓本体と、
前記係止部に係止する被係止部及び使用者が把持可能に延設された把持部を有し、前記水栓本体の正面視の右側で前記弁体が前記冷水路のみを開放する冷水吐水位置及び、前記水栓本体の正面視の左側で前記弁体が前記温水路のみを開放する温水吐水位置の間で、冷水と温水との混合比を調整しながら水平方向に回動可能であるとともに、前記吐水管からの吐水を停止させる下方側の止水位置と前記吐水管からの吐水量が最大となる上方側の最大吐水位置との間で、前記吐水管からの吐水量を調整しながら垂直方向に回動可能であるハンドルと、
を備えたシングルレバー式混合水栓であって、
前記把持部は、前記冷水吐水位置において前記水栓本体の正面側を向くように延設され、且つ、前記冷水吐水位置における前記止水位置から前記最大吐水位置まで回動することで、正面視で前記ガイド体の前記垂直方向を向く軸心の右側から該軸心を超えないように、該軸心に近接していくように延設されていることを特徴としている。
この特徴によれば、使用者がシングルレバー式混合水栓を使用する際に、冷水吐水位置に配置された把持部が水栓本体の正面に向かう使用者と対向するので、使用者は、把持部を止水位置から最大吐水位置に向けて上方に回動させるだけの操作で冷水のみを使用することができるとともに、使用者が把持部を把持してハンドルを冷水吐水位置における止水位置から最大吐水位置に向けて回動させ、最大吐水位置で回動が規制され停止した瞬間に勢い余った使用者の手の動きを止められたことによる慣性力によって、ハンドルに平面視で時計回り向きにはたらくモーメントを最小限に抑えることができるため、使用者がハンドルを意図せず温水吐水位置に向けて回動させてしまうことを抑制し、吐水管から吐水される水に温水を混合させてしまうことなく所望の冷水のみを使用することができる。
【手続補正４】
【補正対象書類名】明細書
【補正対象項目名】００２６
【補正方法】変更
【補正の内容】
【００２６】
このように構成されたハンドル４は、図３に示すように、水栓本体３の上方から凸部１１ａに凹部４ｂを嵌合させることで、把持部４ｄが後述する冷水吐水位置において正面側に向くように配置できる。このとき、図５、図６（ａ）及び図６（ｂ）に示すように、水栓本体３において、弁体９は、冷水口５ａ及び温水口５ｂを閉塞した状態で流路９ｂを冷水口５ａの近傍に配置されるとともに、図５に示すように、枢軸１０ａは、平面視で正面側左方から背面側右方に向けて、冷水吐水位置において正面側を向く把持部４ｄに対し略４５度の角度をなすように配置される。このため、把持部４ｄが正面側を向くようにハンドル４を回動させると、把持部４ｄが使用者と正対した位置で吐水口５ｃから冷水のみを吐水可能となっている。更にこのとき、第１認識部８ａと第２認識部４ｃとの上下位置及び左右位置が合致し、第１認識部８ａは、第２認識部４ｃに完全に被覆される。
【手続補正５】
【補正対象書類名】明細書
【補正対象項目名】００３７
【補正方法】変更
【補正の内容】
【００３７】
以上、本実施例におけるシングルレバー式混合水栓１にあっては、把持部４ｄは、冷水吐水位置において水栓本体３の正面側を向くように延設され、且つ、冷水吐水位置における止水位置から最大吐水位置まで回動することで、正面視でガイド体１０の垂直方向を向く軸心Ｃを超えないよう近接するように延設されているので、使用者がシングルレバー式混合水栓１を使用する際に、冷水吐水位置に配置された把持部４ｄが水栓本体の正面に向かう使用者と対向するので、使用者は、把持部４ｄを止水位置から最大吐水位置に向けて回動させ、最大吐水位置で回動が規制され停止した瞬間に勢い余った使用者の手の動きを止められたことによる慣性力によって、ハンドル４に平面視で時計回り向きにはたらくモーメントを最小限に抑えることができるため、使用者がハンドル４を意図せず温水吐水位置に向けて回動させてしまうことを抑制し、吐水管２から吐水される水に温水を混合させてしまうことなく所望の冷水のみを使用することができる。特に、ハンドル４が冷水吐水位置から温水吐水位置に向けて回動することで作動する給湯器等の加熱装置が温水路７に接続されている場合には、加熱装置を作動させることなく所望の冷水のみを使用することができるので、余計な二酸化炭素の排出や、ガスや電力の消費を抑えることができる。